【事件の表示】
　特許第２９７９１５０号「カメラ装置」の請求項に係る特許に対する特許異議の申立てについて、次のとおり決定する。
【結　論】
　訂正を認める。
　本件特許異議の申立てを却下する。
【理　由】
．手続の経緯
　特許第２９７９１５０号の請求項１に係る発明（以下、本件発明という）は、昭和６３年１２月２６日に特許出願され、平成１１年９月１７日にその特許権の設定登録がなされ、その後、異議申立人相原光政により特許異議の申立てがなされ、取消しの理由が通知され、その指定期間内である平成１２年９月２９日に訂正請求がなされたものである。
２．訂正の適否についての判断
（１）訂正の内容
（ａ）訂正事項ａ
　発明の名称について、「画像データ管理システムおよびカメラ装置」とあるのを、「カメラ装置」と訂正する。
（ｂ）訂正事項ｂ
　特許請求の範囲の記載について、「【請求項１】　撮像手段と、・・画像データ管理システム。【請求項２】上記インデックス画像記憶手段は、・・画像データ管理システム。【請求項３】上記表示手段は、・・画像データ管理システム。【請求項４】撮像手段と、上記撮像手段で撮像された撮像画像を保存画像として記憶する保存画像記憶手段と、上記撮像手段で撮像された撮像画像をもとに、上記保存画像の確認用画像としてインデックス画像を作成するインデックス画像作成手段と、上記インデックス画像作成手段より作成されたインデックス画像を外部に出力するためのインターフェース手段と、を具備したことを特徴とするカメラ装置。【請求項５】上記インターフェース手段を・・カメラ装置。【請求項６】上記保存画像記憶手段は、装置本体に対して着脱可能であり、上記インターフェース手段は、上記保存画像記憶手段を特定するための特定情報を上記インデックス画像とともに外部に出力することを特徴とする請求項４記載のカメラ装置。【請求項７】上記保存画像記憶手段に・・カメラ装置。」とあるのを、「【請求項１】撮像手段と、上記撮像手段で撮像された撮像画像を保存画像として記憶する保存画像記憶手段と、上記撮像手段で撮像された撮像画像をもとに、上記保存画像の確認用画像としてインデックス画像を作成するインデックス画像インデックス画像作成手段と、上記インデックス画像作成手段により作成されたインデックス画像を外部に出力するためのインターフェース手段とを具備し、上記保存画像記憶手段は、装置本体に対して着脱可能であり、上記インターフェース手段は、上記保存画像記憶手段を特定するための特定情報を上記インデックス画像とともに外部に出力することを特徴とするカメラ装置。」と訂正する。
（２）訂正の目的の適否、新規事項の有無及び拡張・変更の存否
　上記訂正事項ａは、上記訂正事項ｂと整合を図るものであるから、明りょうでない記載の釈明を目的とした明細書の訂正に該当する。上記訂正事項ｂは、特許請求の範囲において、請求項１〜７の記載があるところ、請求項１〜５、７を実質的に削除し、残る請求項６を請求項１としたものであり、かつ、請求項４を引用する形式であった請求項６を、請求項４の実質的な削除に伴い、請求項４を引用する代わりに、請求項４の記載をそのまま追補したものであるから、明りょうでない記載の釈明を目的とした明細書の訂正に該当する。そして、上記訂正事項（ａ）、（ｂ）いずれも、新規事項の追加に該当せず、実質的に特許請求の範囲を拡張又は変更するものではない。
（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
３．特許異議の申立てについての判断
　請求項１〜５、７に係る発明は、訂正の結果削除され、特許異議申立ての対象が存在しないので、この特許異議の申立ては、不適法な申立てであって、その補正をすることができないものである。
　なお、異議申立人相原光政が、訂正前の請求項４に記載された「インデックス画像」が如何なる画像を示すのか、「インデックス画像作成手段」が如何なる処理を実行する手段であるのか、「インデックス画像を外部に出力するためのインターフェース手段」の「外部」が何の外部であるのか不明確であり、請求項４は特許を受けようとする発明の構成に欠くことができない事項のみを記載したものではないから、本件発明についての特許は特許法第３６条第４項第２号（昭和６２年法）で規定される要件を満たさない特許出願に対してなされたものであり、特許を取り消すべき旨主張する点について、申立ての対象である請求項４は、上記のように訂正により、実質的に削除されたが、その記載を追補した請求項６が請求項１とされたのであるから、該請求項１は、異議申立てに係るものではないが、上記異議申立人が不明確であると主張する構成を含む。
　これについて検討するに、全文訂正明細書第１６頁第２５行〜第１７頁第５行の、本件発明の実施例についての記載中の、「また、インデックス情報として、・・撮影画像の一部をＩＣカード１８に記憶させるようにしてもよい。この場合には、・・インデックス画像の書込みモードを指定する。このモードが指定されると、・・ビデオ信号が記憶装置１３９に入力され、Ａ／Ｄ変換回路１８１によりデジタルデータに変換されてインターフェース１８２に入力される。・・インターフェース１８２がＡ／Ｄ変換回路１８１からのビデオデータをＣＰＵ１８４のアドレス指定に基づいてＩＣカード１８に記憶する。」という記載を参照すれば、「インデックス画像」はビデオ信号がＡ／Ｄ変換回路１８１によりデジタルデータに変換されたビデオデータ、「インデックス画像作成手段」はＡ／Ｄ変換回路１８１、「外部」はＩＣカード１８に、それぞれ対応することは明かであり、「インデックス画像」、「インデックス画像作成手段」、「外部」が不明確であるとすることはできない。
　したがって、本件特許異議の申立ては、特許法第１２０条の６第１項で準用する第１３５条の規定によって却下すべきものである。
　よって結論のとおり決定する。
【異議決定日】
平成１２年１１月１３日（２０００．１１．１３）
【訂正の要旨】
訂正の要旨
（１）訂正事項ａ
　特許第２９６５１３８号明細書中の発明の名称の「画像データ管理システムおよびカメラ装置」とあるのを、明りょうでない記載の釈明を目的として、「カメラ装置」と訂正する。
（２）訂正事項ｂ
　特許第２９６５１３８号明細書の特許請求の範囲の「【請求項１】撮像手段と、上記撮像手段で撮像された撮像画像を保存画像として記憶する保存画像記憶手段と、上記撮像手段で撮像された撮像画像をもとに、上記保存画像の確認用画像としてインデックス画像を作成するインデックス画像作成手段と、上記インデックスが画像作成手段により作成されたインデックス画像を外部に出力するためのインターフェース手段と、上記インターフェース手段を介して出力されてきた上記インデックス画像を記憶するインデックス画像記憶手段と、上記インデックス画像記憶手段に記憶されたインデックス画像を表示する表示手段と、を具備したことを特徴とする画像データ管理システム。【請求項２】上記インデックス画像記憶手段は、ＩＣカードを含むことを特徴とする請求項１記載の画像データ管理システム。【請求項３】上記表示手段は、上記ＩＣカードを着脱可能としていることを特徴とする請求項２記載の画像データ管理システム。【請求項４】撮像手段と、上記撮像手段で撮像された撮像画像を保存画像として記憶する保存画像記憶手段と、上記撮像手段で撮像された撮像画像をもとに、上記保存画像の確認用画像としてインデックス画像を作成するインデックス画像作成手段と、上記インデックス画像作成手段より作成されたインデックス画像を外部に出力するためのインターフェース手段と、を具備したことを特徴とするカメラ装置。【請求項５】上記インターフェース手段を介して出力されてきた上記インデックス画像を記憶するインデックスが蔵王記憶手段を装置本体に対して着脱可能に備えたことを特徴とする請求項４記載のカメラ装置。【請求項６】上記保存画像記憶手段は、装置本体に対して着脱可能であり、上記インターフェース手段は、上記保存画像記憶手段を特定するための特定情報を上記インデックス画像とともに外部に出力することを特徴とする請求項４記載のカメラ装置。【請求項７】上記保存画像記憶手段に記憶された保存画像を表示する表示手段を備えることを特徴とする請求項４記載のカメラ装置。」とあるのを、明りょうでない記載の釈明を目的として、「【請求項１】撮像手段と、上記撮像手段で撮像された撮像画像を保存画像として記憶する保存画像記憶手段と、上記撮像手段で撮像された撮像画像をもとに、上記保存画像の確認用画像としてインデックス画像を作成するインデックス画像インデックス画像作成手段と、上記インデックス画像作成手段により作成されたインデックス画像を外部に出力するためのインターフェース手段とを具備し、上記保存画像記憶手段は、装置本体に対して着脱可能であり、上記インターフェース手段は、上記保存画像記憶手段を特定するための特定情報を上記インデックス画像とともに外部に出力することを特徴とするカメラ装置。」と訂正する。
（５４）【発明の名称】
カメラ装置
（５７）【特許請求の範囲】
　【請求項１】撮像手段と、
　上記撮像手段で撮像された撮像画像を保存画像として記憶する保存画像記憶手段と、
　上記撮像手段で撮像された撮像画像をもとに、上記保存画像の確認用画像としてインデックス画像を作成するインデックス画像作成手段と、
　上記インデックス画像作成手段により作成されたインデックス画像を外部に出力するためのインターフェース手段と
を具備し、
　
上記保存画像記憶手段は、装置本体に対して着脱可能であり、
　
上記インターフェース手段は、上記保存画像記憶手段を特定するための特定情報を上記インデックス画像とともに外部に出力することを特徴とするカメラ装置。
【発明の詳細な説明】
［産業上の利用分野］
　本発明は、撮像手段を備えたスチルカメラあるいはビデオカメラで撮像された撮像画像を管理する画像データ管理システムおよびカメラ装置に関する。
［従来技術］
　近年、フィルムカメラに加えて、電子スチルカメラ、ビデオカメラ等が普及している。これらのカメラでは、最近益々フルオート化が進み、誰でも簡単に撮影できるようになっている。このため撮影の機会が多くなり、撮影した画像情報がたまる一方であり、整理に困ると共に後で見たい写真を見つけものも一苦労である。
［発明が解決すべき課題］
　本発明は上記事情に鑑みて成されたもので、撮像手段を備えたスチルカメラあるいはビデオカメラで撮像された撮像画像をもとに作成した保存画像確認用のインデックス画像を外部機器に出力して、外部機器でインデックス画像を用いて保存用メモリに保存画像として記憶した撮像画像を管理できるようにした画像データ管理システムおよびカメラ装置を提供することを目的とする。
［課題を解決するための手段］
　本発明は、撮像手段と、上記撮像手段で撮像された撮像画像を保存画像として記憶する保存画像記憶手段と、上記撮像手段で撮像された撮像画像をもとに、上記保存画像の確認用画用像としてインデックス画像を作成するインデックス画像作成手段と、上記インデックス画像作成手段により作成されたインデックス画像を外部に出力するためのインターフェース手段と、上記インターフェース手段を介して出力されてきた上記インデックス画像を記憶するインデックス画像記憶手段と、上記インデックス画像記憶手段に記憶されたインデックス画像を表示する表示手段と、を具備したことを特徴とする画像データ管理システムである。
　また、上記インデックス画像記憶手段は、ＩＣカードを含んでもよい。
　また、上記表示手段は、上記ＩＣカードを着脱可能としてもよい。
　また、本発明は、撮像手段と、上記撮像手段で撮像された撮像画像を保存画像として記憶する保存画像記憶手段と、上記撮像手段で撮像された撮像画像をもとに、上記保存画像の確認用画像としてインデックス画像を作成するインデックス画像作成手段と、上記インデックス画像作成手段により作成されたインデックス画像を外部に出力するためのインターフェース手段と、を具備したことを特徴とするカメラ装置である。
　また、上記インターフェース手段を介して出力されてきた上記インデックス画像を記憶するインデックス画像記憶手段を装置本体に対して着脱可能に備えてもよい。
　また、上記保存画像記憶手段は、装置本体に対して着脱可能であり、上記インターフェース手段は、上記保存画像記憶手段を特定するための特定情報を上記インデックス画像とともに外部に出力するようにしてもよい。
　また、上記保存画像記憶手段に記憶された保存画像を表示する表示手段を備えてもよい。
［第一実施例］
　以下、図面を参照して本発明の実施例を説明する。この第１実施例に示す携帯用データ管理システムは、電子スチルカメラ及び電子手帳により構成しているが、先ず、電子スチルカメラの構成について説明する。
　第１図は本発明を適用した電子スチルカメラ１０の背面斜視図である。この電子スチルカメラ１０の外形形状は、ほぼ従来の一眼レフカメラと同様に形成されており、外観としては、直方体形状のカメラ本体１１と、前面側に突出した円筒状のレンズ部１２とからなっている。カメラ本体１１には、頂面に設けられていて、シャッターとして機能するレリーズスイッチ１３と、背面に設けられていて、被写体を視るためのファインダ１４、動作モード等を指定するキー入力部１５及び撮影画像等を表示するモニタ例えば液晶表示パネル１６と、その側部に設けられていて、撮影したスチル画像情報が例えば５０枚磁気記録される磁気記録媒体としての磁気シート（フロッピーディスク）を含むジャケット筐体すなわちＦＤ１７及び撮影インデックス情報が記憶される半導体メモリを備えたＩＣカード１８をそれぞれ収納するための磁気記録装置部１９とが設けられている。
　図面からも見られるように、ＦＤ１７及びＩＣカード１８はカメラに着脱可能な単体のユニットとして構成され、このため磁気記録装置部１９には、ＦＤ１７及びＩＣカード１８の着脱に際して開かれる２つのカバー２０，２１が前後に設けられている。これらのカバー２０，２１が開かれた場合にＦＤの挿入開口１９ａとＩＣカードの挿入開口１９ｂとが上側で露出されるようになっている。
　第２図は、上記第１図の電子スチルカメラ１０の全体回路構成を示している。同図において３１は光学系で、レンズ部１２，シャッター３２，ＣＣＤ（Ｃｈａｒｇｅ　Ｃｏｕｐｌｅｄ　Ｄｅｖｉｃｅ）などの撮像素子３３等により構成され、オートフォーカス機構及びＥＥ機構により、ピント，露出等が自動的に合わせられるようになっている。また、３４はシャッター制御回路で、レリーズスイッチ１３の操作に応じてシャッター３２を制御する。上記レリーズスイッチ１３は、信号ライン３６ａ，３６ｂによりシャッター制御回路３４に接続しており、レリーズスイッチ１３に人の指が触れると（軽く押すと）信号ライン３６ａを介してタッチ信号をシャッター制御回路３４に送り、レリーズスイッチ１３が押されると信号ライン３６ｂを介してＯＮ信号をシャッター制御回路３４に出力する。このシャッター制御回路３４は、レリーズスイッチ１３からタッチ信号が送られてくるとスタンバイモードとなり、オートフォーカス、ＥＥ機構によりピント及び露出を決定すると共に、例えば１／６０秒の間隔でシャッター３２を動作させる。
　そして、上記シャッター３２の動作に伴い、被写体像がレンズ部１２及びシャッター３２を介して撮像素子３３の面に結像され、撮像素子３３から被写体像に対する信号、つまり、撮像信号が信号処理回路３７へ送られる。上記撮像素子３３は、例えば光電変換半導体セルを多数個配列して構成され、これらセルを信号処理回路３７が順次走査することにより、一般のテレビジョン信号に準じたビデオ信号、つまり、輝度信号Ｙ及び色差信号Ｒ−Ｙ，Ｂ−Ｙを得ている。この信号処理回路３７から出力される画像信号は、信号ラインａを介して表示制御回路３８へ送られ、また、スイッチＳＷ１を介して変調回路３９へ送られると共にスイッチＳＷ２を介してＡ／Ｄ変換回路４１へ送られる。上記スイッチＳＷ１，ＳＷ２は、制御回路４４からのスイッチ信号Ｓ１，Ｓ２によりオン／オフ制御される。上記Ａ／Ｄ変換回路４１は、信号処理回路３７から送られてくる輝度信号Ｙ及び色差信号Ｒ−Ｙ，Ｂ−Ｙをそれぞれデジダルデータに変換し、上記ＩＣカード１８に出力する。このＩＣカード１８には、Ａ／Ｄ変換回路２１から送られてくる画像データがメモリ制御回路４３の制御に従って記憶される。また、このメモリ制御回路４３には、キー入力部１５からのキー入力信号及び制御回路４４からの制御信号が与えられると共に、シャッター制御回路３４からシャッター信号が与えらえる。上記キー入力部１５には、撮影インデックス情報を入力するためのデータ入力キーが設けられると共に、撮影モード，再生モード、ＩＣカード読出し／書込みモード等の動作モードを指定する動作モード指定キー、動作モードに応じてＩＣカード１８あるいはＦＤ１７の読出しアドレスを前後させるフォワードキー及びバックキー等の各種操作キーが設けられている。上記メモリ制御回路４３は、キー入力部１５から入力される撮影インデックス情報をＩＣカード１８に書込むと共に、キー入力部１５から画像データの書込みが指示されている場合には、シャッター制御回路３４からレリーズスイッチ１３のＯＮ信号が与えられた際にＩＣカード１８への画像データの書込み制御を行なう。
　また、メモリ制御回路４３は、キー入力部１５によりインデックス読出しモードが指定されると、ＩＣカード１８の記憶データを読出し、Ｄ／Ａ変換回路４５に入力する。上記ＩＣカード１８から読出された撮影インデックス情報は、Ｄ／Ａ変換回路４５によりアナログ信号に変換され、信号ラインｂを介して表示制御回路４８へ送られる。
　また、上記変調回路３９は、信号処理回路３７からスイッチＳＷ１を介して与えられる信号を変調して記録回路４６へ出力する。この記録回路４６は、変調回路３９から送られてくる信号に基づいて記録ヘッド４７ａを駆動し、上記ＦＤ１７内に収納されている磁気シートに環状トラックを形成するように画像情報を記録する。
　上記ＦＤ１７に記録された画像情報は、再生モードにおいて再生ヘッド４７ｂ（記録ヘッド４７ａと共用）により読出され、再生回路５１を介して復調回路５２へ送られる。この復調回路５２は、再生信号を復調してエンコーダ５３に入力し、元の輝度信号Ｙおよび色差信号Ｒ−Ｙ，Ｂ−Ｙに戻して表示制御回路３８へ出力する。この表示制御回路３８は、信号ラインａ，ｂ，ｃにより入力される３系統の画像信号を制御回路４４からの指示に従って選択し、ファインダ１４及び液晶表示パネル１６に出力して表示する。
　また、上記制御回路４４には、シャッター制御回路３４からシャッター信号が与えられると共にキー入力部１５が接続される。上記制御回路４４は、キー入力部１５からのキー入力信号、シャッター制御回路３４からのシャッター信号に応じてスイッチＳＷ１，ＳＷ２をオン／オフ制御すると共に、メモリ制御回路４３，表示制御回路３８及び他の回路に制御指令を与える。
　しかして、上記のように構成された電子スチルカメラにより写真を撮る場合には、キー入力部１５のキー操作により撮影モードを指定する。制御回路４４は、撮影モードが指定されるとスイッチＳＷ１，ＳＷ２をオフすると共に、表示制御回路３８に対し、信号ラインａを選択してファインダ１４に出力するように指示する。この状態で撮影者がレリーズスイッチ１３に指を軽く触れると、タッチ信号が信号ライン３６ａを介してシャッター制御回路３４へ送られる。シャッター制御回路３４は、タッチ信号が送られてくると、スタンバイモードとなり、オートフォーカス機構、ＥＥ機構によりピント、露出を決定すると共にシャッター３２を１／６０秒毎に動作させる。これにより被写体像がレンズ部１２及びシャッター３２を介して撮像素子３３の面に結像され、撮像素子３３から投影像に応じた輝度信号Ｙ及び色差信号Ｒ−Ｙ，Ｂ−Ｙが出力され、信号ラインａを介して表示制御回路３８へ送られる。表示制御回路３８は、信号ラインａにより送られてくる信号を制御回路４４の指示に従って選択し、ファインダ１４に表示する。このファインダ１４への表示により撮影者は、被写体の状態を確認することができ、シャッター操作が可能となる。
　そして、撮影者がレリーズスイッチ１３を押すと、ＯＮ信号が信号ライン３６ｂを介してシャッター制御回路３４へ送られる。シャッター制御回路３４は、ＯＮ信号が与えられると、そのＯＮ信号をメモリ制御回路４３及び制御回路４４に出力する。
　上記制御回路４４は、上記シャッターＯＮが与えられると、一定時間例えば１／６０秒の間、スイッチＳＷｌをオンさせる。このスイッチＳＷ１がオンすることにより、上記レリーズスイッチ１３のＯＮ時点における信号処理回路３７の出力信号、つまり、輝度信号Ｙ及び色差信号Ｒ−Ｙ，Ｂ−Ｙが変調回路３９に入力される。この変調回路３９は、信号処理回路３７から送られてくる画像信号を変調して記録回路４６へ出力する。この記録回路４６は、変調回路３９からの信号に基づいて記録ヘッド．４７ａを駆動し、ＦＤ１７内に収納されている磁気シートに環状トラックを形成するように画像情報を記録する。
　以下、同様にして撮影を行ない、ＦＤ１７の容量分だけの撮影を終了すると、例えばＦＤ１７に５０枚分の画像情報を記録すると、その後、キー入力部１５のキー操作によりＩＣカード１８の書込みモードを指定してインデックス（撮影状況）情報を入力する。このインデックス情報としては、例えば第６図（ａ）に示すように「フロッピーＮＯ．」、「タイトル」、「日時」をフロッピー単位で入力する。このインデックス情報の記録は、撮影前あるいは撮影途中で行なってもよい。
　また、その他、例えば写真を１枚写す毎に第６図（ｂ）に示すように「シャッタースピード」、「露出」、「使用フィルム」等のインデックス情報をＩＣカード１８に記憶するようにしてもよい。この種のインデックス情報は、１枚のＩＣカード１８にフィルム６４本分位は記憶することができる。この場合のインデックス情報は、制御回路４４により自動セットすることも可能である。
　更に、インデックスとして、例えば第６図（ｃ）に示すようにフィルム１本につき１枚のインデックス画像を記録するようにしてもよい。このインデックス画像を記録する場合には、撮影時にインデックス画像記録モードを指定する。制御回路４４は、このモードが指定されると、レリーズスイッチ１３が押された時にスイッチＳＷ１，ＳＷ２を一定時間オンさせる。スイッチＳＷ１がオンすることにより、上記したように撮影画像がＦＤ１７に記録されると共に、信号処理回路３７から出力される画像信号がスイッチＳＷ２を介してＡ／Ｄ変換回路４１に入力され、デジタルデータに変換される。そして、このＡ／Ｄ変換回路４１から出力される画像データがメモリ制御回路４３の制御によりＩＣカード１８に書込まれる。また、このＩＣカード１８に対しては、予めあるいは撮影後にキー入力部１５のキー操作によって「フロッピーＮＯ．」をインデックス画像に対応させて記録する。
　上記のようにしてＩＣカード１８に記憶したインデックス情報を確認したい場合には、キー入力部１５のキー操作によりＩＣカード読出しモードを指定する。このＩＣカード読出しモードが指定されると、制御回路４４は表示制御回路３８に信号ラインｂを選択してファインダ１４及び液晶表示パネル１６に出力するように指示する。また、メモリ制御回路４３は、上記ＩＣカード読出しモードにより、ＩＣカード１８の先頭アドレスに記憶しているインデックス情報を読出し、Ｄ／Ａ変換回路４５及び信号ラインｂを介して表示制御回路３８へ出力し、ファインダ１４及び液晶表示パネル１６に表示する。この状態でキー入力部１５のフォワードキーを操作することにより、ＩＣカード１８に記憶されている情報がメモリ制御回路４３の制御により順次読出され、表示制御回路３８を介してファインダ１４及び液晶表示パネル１６に表示される。これによりＩＣカード１８に記憶したインデックス情報を確認することができる。
　また、上記ＦＤ７に記録した画像を再生したい場合は、再生モードを指定する。制御回路４４は、再生モードが指定されると、表示制御回路３８に信号ラインｃを選択してファインダ１４及び液晶表示パネル１６に出力するように指示すると共に、ＦＤ１７に記録されている最初の画像を再生ヘッド４７ｂにより読出し、再生回路５１により増幅した後、復調回路５２に入力して復調動作を行わせる。この復調回路５２により復調された信号は、エンコーダ５３に入力されて元の輝度信号Ｙ及び色差信号Ｒ−Ｙ，Ｂ−Ｙに戻され、信号ラインｃを介して表示制御回路３８に送られる。この表示制御回路３８は、エンコーダ５３から送られてくる画像信号を制御回路４４の指示に従って選択してファインダ１４及び液晶表示パネル１６に表示する。また、この状態でフォワードキーを操作することによってＦＤ１７の記録画像が順次読出され、ファインダ１４及び液晶表示パネル１６に表示される。
　次に上記電子スチルカメラ１０から取出したＩＣカード１８をセットしてその記憶画像を表示する電子手帳の構成について説明する。この電子手帳は、カラー液晶テレビ機能とデータバンク機能を備えたもので、第３図ないし第５図に示すように構成される。
　第３図は本発明を適用した電子手帳６０の外観構成を示すもので、同図（ａ）は手帳を開いた状態を示す図、同図（ｂ）は底面側から見た図である。第３図において６１はケースで、手帳形式となっており、表紙６２のケース本体６３からなっている。このケース本体６３は、表紙６２の内側に設けられ、手帳を開くと左側のページに位置するようになっている。また、上記表紙６２には、左右に開閉できるように中央部の縦方向にヒンジ部６４が形成されている。
　そして、ケース本体６３の前面には、上方部位にカラー液晶パネル６５が配置され、その下方にテレビ電源スイッチ６６、チューニング用のアップキー６７ａ及びダウンキー６７ｂが配置されると共に、スピーカ６８が設けられる。上記テレビ電源スイッチ６６は、テレビのメイン電源をオン／オフすると共に、電源オンの状態においてテレビのＶＨＦ／ＵＨＦ受信モードを切換えられるようになっている。更にケース本体６３の下側には第３図（ｂ）に示すようにＩＣカード挿入開口７０が設けられ、このＩＣカード挿入開口７０内に上記ＩＣカード１８を挿入することにより、その記憶情報が後述する内部回路により読取られるようになっている。
　また一方、表紙６２の内側の右側のページには、キーボード６９が設けられ、上記ケース本体６３内の電子回路に接続される。このキーボード６９には、データ処理用の各種入力キー及びデータ処理モードとテレビモードを切換指定するモードキー等が設けられている。
　第４図は、上記ケース本体６３内に設けられる電子回路の全体の構成を示すブロック図である。同図において７１はアンテナで、チューナ７２に接続される。このチューナ７２は、アンテナ７１で受信した電波の中から指定チャンネルの電波を選択し、増幅及び中間周波数への変換を行なってテレビリニア回路７３へ出力する。テレビリニア回路７３は、チューナ７２からの中間周波信号を増幅すると共に映像検波及びカラー処理を行ない、中間周波信号ＩＦ及びカラー信号Ｒ，Ｇ，Ｂを制御回路７４へ出力する。この制御回路７４は、テレビ映像信号の表示制御及びデータ処理部（データバンク）の制御を行なうと共に、ＩＣカード挿入開口７０に挿入されるＩＣカード１８の情報読取り制御を行なうもので、その詳細については後述する。また、上記テレビリニア回路７３は、同期信号を含む複合映像信号を同期分離回路７５へ出力すると共に音声信号を音声回路７６へ出力する。この音声回路７６は、テレビリニア回路７３からの音声信号を検波し、増幅して上記スピーカ６８を駆動する。
　一方、同期分離回路７５は、複合映像信号から垂直同期信号φＶ及び水平同期信号φＨを分離して制御回路７４へ出力する。この制御回路７４には、更にキー入力部７７及び電源回路７８が接続される。上記キー入力部７７は、上記テレビ電源スイッチ６６，アップキー６７ａ，ダウンキー６７ｂ及びキーボード６９により構成される。制御回路７４は、キー入力部７７におけるアップキー６７ａ，ダウンキー６７ｂが操作された際、中間周波信号ＩＦを参照してチューニング電圧ＶＴをチューナ７２に出力し、隣接チャンネルを選択するためのチューニング制御を行なう。また、制御回路７４は、キー入力部７７により指定されるモード信号に応じてテレビＯＮ／ＯＦＦ信号ａ，音声ＯＮ／ＯＦＦ信号ｂ，データバンクＯＮ／ＯＦＦ信号ｃを電源回路７８に与える。この電源回路７８は、制御回路７４及びその他の回路に動作電圧を供給するもので、上記制御回路７４からのＯＮ／ＯＦＦ信号ａ，ｂ，ｃに応じて各回路部への動作電圧をＯＮ／ＯＦＦする。
　更に、上記制御回路７４は、内部に設けられているＡ／Ｄ変換回路によりテレビリニア回路７３からのカラー信号Ｒ，Ｇ，Ｂをそれぞれ４ビットのデジタルデータＤ１〜Ｄ４に変換してシフトレジスタア７９へ出力すると共に、内部回路により各種タイミング信号φ１，φ２，φｃ，φＦ，φｎ，ＳＲを発生して各回路部へ出力する。上記シフトレジスタア７９は、色別３に系統設けられており、制御回路７４から出力されるクロックパルスφ１，φ２により、上記データ（Ｄ１〜Ｄ４）×３を色別に順次読込んでシフトし、その読込んだデータをラッチ回路８０へ出力する。このラッチ回路８０は、シフトレジスタア７９からのデータをタイミング信号φｎに同期してラッチし、ドライバ８１へ出力する。このドライバ８１には、電源回路７８から液晶用駆動電圧が供給されると共に、制御回路７４から階調信号作成用クロックφｃ及びフレーム信号φＦが入力される。上記ドライバ８１は、ラッチ回路８０にラッチされたデータに従って階調信号を作成し、カラー液晶パネル６５のセグメント電極Ｙ１〜Ｙ４０８をＲ，Ｇ，Ｂの色別に表示駆動する。この場合、ドライバ８１から出力される駆動信号は、フレームφＦに同期して反転する。上記カラー液晶パネル６５は、例えば２．７インチの大きさで、信号電極がＲ，Ｇ，Ｂの色別に各１３６ドット（合計４０８ドット）、走査電極が１１９ライン設けられている。また、上記カラー液晶パネル６５に対するデータバンクからのデータ表示は、例えば１７×１７（×３）ドットのキャラクタエリアに１６×１６（×３）ドットのキャラクタが表示されるようになっている。従って、カラー液晶パネル６５には、横方向に８文字、縦方向に７文字が表示される。
　また、上記制御回路７４からはシフトデータＳＲ及びシフトクロックφｎがコモン側シフトレジスタ８２へ送られる。このシフトレジスタ８２は、上記シフトデータＳＲをシフトクロックφｎにより読込んで順次シフトし、ドライバ８３へ出力する。このドライバ８３には、更に制御回路７４からフレーム信号φＦが与えられると共に、電源回路７８から液晶駆動電圧が供給される。上記ドライバ８３は、シフトレジスタ８２からのシフトデータに応じてカラー液晶パネル６５の走査電極Ｘ１〜Ｘ１１９を順次選択的に駆動する。
　第５図は上記制御回路７４の詳細を示すブロック図である。同図において９１はＣＰＵで、上記キー入力部７７が接続されると共に、タイミング発生回路９２からクロックパルスが与えられる。このタイミング発生回路９２は、上記同期分離回路７５から与えられる水平同期信号φＨ，垂直同期信号φＶに基づいてＣＰＵ９１へのクロックパルスを発生すると共に、上記したタイミング信号ＳＲ，φｎ，φｃ，φ１，φ２，φＦを発生する。
　上記ＣＰＵ９１は、キー入力部７７からの動作設定モードに応じて上記ＯＮ／ＯＦＦ信号ａ，ｂ，ｃを発生し、上記電源回路７８へ出力する。また、ＣＰＵ９１は、キー入力部７７におけるアップキー６７ａ，ダウンキー６７ｂの操作に応じてアップ／ダウン制御指定ＵＰ／ＤＯＷＮをテレビ制御回路９３へ出力する。このテレビ制御回路９３は、ＣＰＵ９１からアップ／ダウン制御指定ＵＰ／ＤＯＷＮが与えられると、テレビリニア回路７３からの中間周波信号ＩＦを参照してチューニング電圧ＶＴを発生し、チューナ７２に出力する。
　また、ＣＰＵ９１には、バスライン９４を介してデータメモリ９５，辞書ＲＯＭ９６，演算レジスタ９７，表示メモリ９８が接続されると共に、ＩＣカード挿入開口７０に挿入されるＩＣカード１８が接続される。上記表示メモリ９８は、Ｒ，Ｇ，Ｂの色別に１画面分の表示データを記憶するように構成されている。上記ＣＰＵ９１，データメモリ９５，辞書ＲＯＭ９６，演算レジスタ９７，表示メモリ９８の部分は、データ処理部（データバンク）を構成するもので、表示メモリ９８の保持データが表示ポート９９へ送られる。また、この表示ポート９９には、テレビリニア回路７３から送られてくる色信号Ｒ，Ｇ，ＢがＡ／Ｄ変換回路１００を介して入力される。Ａ／Ｄ変換回路１００は、電源回路７８から与えられる上限基準電圧ＶＨ及び下限基準電圧ＶＬに基づいてアナログ色信号Ｒ，Ｇ，Ｂをそれぞれ４ビットのデジタルデータＤ１〜Ｄ４に変換し、表示ポート９９に出力する。この表示ポート９９には、更にＣＰＵ９１からその時の動作モードに応じた表示切換え信号がコントロールバス１０１を介して与えられる。上記表示ポート９９は、ＣＰＵ９１からの表示切換え信号に応じて表示メモリ９８の保持データあるいはＡ／Ｄ変換回路１００の出力データを選択してシフトレジスタア７９へ出力する。そして、上記制御回路７４は、ＣＰＵ９１及びデータメモリ９５に対して常時電源電圧が供給されている。
　上記のように構成された電子手帳において、ＴＶモードを指定する場合には、テレビ電源スイッチ６６により電源をＯＮしてＶＨＦあるいはＵＨＦの受信モードを指定する。そして、このＴＶモードからデータバンクモードに切換える時、及びこのデータバンクモードからＴＶモードに戻す時にはキーボード６９上のモードキーを操作する。また、ＩＣカード挿入開口７０に挿入したＩＣカード１８の記録データを読出してカラー液晶パネル６５に表示する場合には、上記データバンクモードにおいてＩＣカード読出しモードを指定する。
　上記キーボード６９におけるモードキーの操作によりデータバンクモードを指定すると、ＣＰＵ９１は電源回路７８に出力しているテレビＯＮ／ＯＦＦ信号ａをローレベル、データバンクＯＮ／ＯＦＦ信号ｃをハイレベルに切換え、ＴＶ映像回路の電極をＯＦＦさせると共にデータバンクの電源をＯＮさせる。次いでＣＰＵ９１は表示ポート９９に表示切換え指令を出力し、表示ポート９９を表示メモリ９８側に切換える。これにより表示メモリ９８の保持データが表示ポート９９により選択されて第４図のシフトレジスタア７９へ送られるようになり、カラー液晶パネル６５の表示データバンク側に切換えられる。従って、この状態でキーボード６９よりデータ入力を行なえば、データバンクの機能が動作し、入力データ，処理データ等がカラー液晶パネル６５に表示される。このデータバンクモードでは、例えば電話番号の登録、検索、修正、演算等のデータ処理を行なうことができる。
　そして、上記データバンクモードにおいてＩＣカード読出しモードを指定すると、ＣＰＵ９１によりＩＣカード１８から先頭アドレスのインデックス情報が読出され、表示メモリ９８に書込まれる。この表示メモリ９８に記憶されたインデックス情報は、表示ポート９９により順次読出されてシフトレジスタア７９へ送られ、カラー液晶パネル６５に表示される。そして、この状態でキーボード６９におけるフォワードキーを操作すると、ＣＰＵ９１はＩＣカード１８から次のアドレスに記憶されているインデックス情報を読出して表示メモリ９８に書込む。従って、カラー液晶パネル６５には、表示メモリ９８に記憶された次のインデックス情報が表示される。以下、同様にしてフォワードキーを操作することにより、ＩＣカード１８に記憶されているインデックス情報が表示メモリ９８に順次読出され、カラー液晶パネル６５に表示される。また、この際、キーボード６９に設けられているバックキーを操作することにより、カラー液晶パネル６５の表示内容を前に戻すこともできる。
　上記のようにしてＩＣカード１８の記憶情報を電子手帳のカラー液晶パネル６５に表示させることができる。
　また、上記ＩＣカード１８へのインデックス情報の書込みは、カメラ側だけでなく、電子手帳により行なうことも可能である。
　そして、上記のデータバンクモードからＴＶモードに切換える場合には、キーボード６９のモードキーにより「ＴＶ」モードを指定する。この「ＴＶ」モードが指定されると、ＣＰＵ９１は電源回路７８へのテレビＯＮ／ＯＦＦ信号ａをハイレベルとし、ＴＶ映像回路の電源をＯＮさせると共に、データバンクＯＮ／ＯＦＦ信号ｃをローレベルとし、データバンクの電源をＯＦＦさせる。更にＣＰＵ９１は表示ポート９９に表示切換信号を送り、表示ポート９９をＡ／Ｄ変換回路１００側に切換える。これによりテレビモードとなり、ＴＶ画像が表示ポート９９により選択され、カラー液晶パネル６５に表示されるようになる。
　なお、上記第２図の実施例における電子スチルカメラでは、インデックス画像をＩＣカード１８に記憶する場合、シャッター操作時の撮影画像を選択的にＩＣカードを記憶するようにしたが、その他、撮影を終了した後にＦＤ１７の記録画像を液晶表示パネル１６に表示して確認し、任意画像を選択してＩＣカード１８にインデックス画像として記憶するようにしてもよい。
［第２実施例］
　次に本発明をビデオカメラに実施した場合について第７図ないし第１１図を参照して説明する。第７図は本発明を適用したビデオカメラ１１０の外観構成を示す斜視図である。同図において１１１はビデオカメラ本体ケースで、その前端部は段状に形成されており、その段状部１１２の先端に円筒状のズームレンズ１１３が装着されると共に、段状部１１２の上方部位にマイク１１４が配置される。また、上記本体ケース１１１には、図示左側の側面にビデオテープ装着部１１５が設けられると共に、ハンドグリップ１１６が設けられる。そして、このハンドグリップ１１６の側面にグリップ用ベルト１１７が装着されると共に、ハンドグリップ１１６の上面にＲＥＣ／ストップキー１１８，ズームインキー１１９，ズームアウトキー１２０が配置される。すなわち、撮影者がグリップ用ベルト１１７内に手を入れてハンドグリップ１１６によりビデオカメラ１１０を保持した際に、上記ＲＥＣ／ストップキー１１８，ズームインキー１１９，ズームアウトキー１２０を指により操作できるようになっている。更に上記本体ケース１１１の上面には、ビューファインダ１２１が装着される。このビューファインダ１２１は、Ｌ字状に形成されて一方の端部が本体ケース１１１の側方に突出して配置され、撮影者が本体ケース１１１の側方からビューファインダ１２１を容易に覗けるようになっている。上記ビューファインダ１２１は、本体ケース１１１内に設けられている電子回路に接続コード１２２を介して接続される。また、本体ケース１１１の上面にはＩＣカード挿入開口１２３が形成され、このＩＣカード挿入開口内にＩＣカード１８を挿入することにより、このＩＣカード１８が内部回路に接続されるようになっている。
　また、上記本体ケース１１１の背面部には、第８図に示すようにモニタ用の液晶表示装置１２４、ＩＣカード１８の指定アドレスを前後させるフォワードキー１２５及びバックキー１２６、インデックス情報を入力するキー入力部１２７、ＩＣカード１８へのデータ登録を指示する登録キー１２８が設けられる。
　第９図は上記ビデオカメラ１１０の全体の回路構成を示すブロック図である。同図において１３０は光学系で、ズームレンズ１１３、光学色ローパスフィルタ１３１、赤外線カットフィルタ１３２、ＣＣＤなどの撮像素子１３３により構成され、オートフォーカース機構及びＥＥ機構により、ピント，露出等が自動的に合わせられるようになっている。上記撮像素子１３３はビデオカメラ系回路１３４により順次走査され、一般のテレビジョン信号に準じたビデオ信号が取出される。上記ビデオカメラ系回路１３４は、プロセス回路１３５、マトリクス回路１３６、エンコーダ１３７からなり、このエンコーダ１３７から出力されるビデオ信号がビューファインダ１２１及び切替回路１３８に入力されると共に、詳細を後述する記憶装置１３９に入力される。
　また、上記切替回路１３８には、外部端子１４０に与えられるビデオ信号が入力されると共に、ＴＶ系回路１４１から出力されるビデオ信号が入力される。上記ＴＶ系回路１４１は、チューナ１４２、ＩＦ・検波回路１４３、切替回路１４４、クロマ回路１４５により構成され、ＴＶ系回路１４１にアンテナ１４６が接続されると共にクロマ回路１４５に上記液晶表示装置１２４が接続される。上記チューナ１４２は、アンテナ１４６により受信したＴＶ電波の中から指定されたチャンネルの電波を選択し、中間周波信号ＩＦに変換してＩＦ・検波回路１４３へ出力する。このＩＦ・検波回路１４３は、上記中間周波信号ＩＦを増幅すると共に検波してビデオ信号を取出し、切替回路１３８，１４４に出力する。切替回路１４４は、ＩＦ・検波回路１４３からのビデオ信号、外部端子１４０からのビデオ信号、後述するＶＴＲ再生系回路１７０からのビデオ信号の何れかを制御部（図示せず）の指示に従って選択し、クロマ回路１４５へ出力する。このクロマ回路１４５は、切替回路１４４により選択されたビデオ信号をクロマ処理し、液晶表示装置１２４に出力して表示する。
　また、上記切替回路１３８は、エンコーダ１３７からのビデオ信号、外部端子１４０から入力されるビデオ信号、ＩＦ・検波回路１４３からのビデオ信号の何れかを制御部の指示に従って選択し、ＶＴＲ記録系回路１５０に入力する。このＶＴＲ記録系回路１５０は、Ｙ／Ｃ（輝度信号／クロマ信号）分離回路１５１、輝度信号処理回路１５２、ＦＭ変調回路１５３、色信号処理回路１５４、記録アンプ１５５により構成される。上記Ｙ／Ｃ分離回路１５１は、入力されるビデオ信号に対して輝度信号とクロマ信号を分離する。このＹ／Ｃ分離回路１５１により分離された輝度信号は、輝度信号処理回路１５２を介してＦＭ変調回路１５３に入力され、ＦＭ変調されて記録アンプ１５５に入力される。また、Ｙ／Ｃ分離回路１５１により分離されたクロマ信号は、色信号処理回路１５４により処理され、Ｒ，Ｇ，Ｂの色信号に変換されて記録アンプ１５５に入力される。この記録アンプ１５５は、ＦＭ変調回路１５３からのＦＭ変調信号と色信号処理回路１５４からの色信号とを増幅し、切替回路１５６へ出力する。
　また、上記切替回路１５６には、ビデオヘッド１５７，１５８が接続される。このビデオヘッド１５７，１５８は、回転ドラム１５９の周面に１８０°の間隔を保って装着され、一定の速度で回転駆動される。また、この回転ドラム１５９の周面には、ビデオテープ１６１が一定の角度範囲巻付けられ、矢印ａで示す方向に一定の速度で走行駆動される。更に上記回転ドラム１５９の近傍において、上記ビデオテープ１６１に接するようにオーディオヘッド１６２が設けられる。このオーディオヘッド１６２には、マイク１１４に入力される音声信号がマイクアンプ１６４及び録音アンプ１６５により増幅されて入力される。なお、音声の再生回路系は省略してある。
　しかして、上記切替回路１５６は、記録モードが指定されている場合にはＶＴＲ記録系回路１５０からの信号をビデオヘッド１５７，１５８に出力し、再生モードが指定されている場合にはビデオヘッド１５７，１５８の再生出力をＶＴＲ再生系回路１７０に出力する。
　このＶＴＲ再生系回路１７０は、ヘッドアンプ１７１、ＦＭ復調回路１７２、輝度信号処理回路１７３、混合回路１７４、色信号処理回路１７５により構成される。ＶＴＲ再生系回路１７０に入力された再生信号は、ヘッドアンプ１７１により増幅されてＦＭ復調回路１７２及び色信号処理回路１７５に入力される。ＦＭ復調回路１７２は、ヘッドアンプ１７１の出力信号に対し、ＦＭ変調されている信号を復調し、輝度信号処理回路１７３を介して混合回路１７４に出力する。また、ヘッドアンプ１７１から出力される色信号を処理してクロマ信号とし、混合回路１７４に出力する。この混合回路１７４は、輝度信号処理回路１７３から出力される輝度信号と色信号処理回路１７５から出力されるクロマ信号とを混合してビデオ信号とし、上記ＴＶ系回路１４１の切替回路１４４に出力すると共に、外部端子１８０より外部に出力する。
　第１０図は、上記記憶装置１３９の詳細な構成を示すブロック図である、第９図のビデオカメラ系回路１３４から与えられるビデオ信号は、Ａ／Ｄ変換回路１８１によりデジタルデータに変換されてインターフェース１８２に入力される。また、第８図のキー入力部１２７から入力されるキー入力信号は、文字発生部１８３により文字データに変換されてインターフェース１８２に入力される。このインターフェース１８２には、ＣＰＵ１８４及びＤ／Ａ変換回路１８５が接続されると共に、第７図のＩＣカード挿入開口１２３に挿入されたＩＣカード１８が接続される。上記ＣＰＵ１８４は、インターフェース１８２に対し、その時の設定モードに応じて入出力セレクト信号及びＩＣカード１８のアドレスデータを出力する。インターフェース１８２は、ＣＰＵ１８４からのセレクト信号及びアドレスデータに応じてＡ／Ｄ変換回路１８１あるいは文字発生部１８３からのデータを選択してＩＣカード１８の指定アドレスに書込み、また、ＩＣカード１８の記憶データを読出してＤ／Ａ変換回路１８５に出力する。このＤ／Ａ変換回路１８５は、ＩＣカード１８から読出されるデジタルデータをアナログ信号に変換し、第９図のＴＶ系回路１４１に出力する。
　しかして、上記ビデオカメラ１１０により撮影を行なった場合に、キー入力部１２７からインデックス情報を入力して記憶装置１３９内のＩＣカード１８に記憶させる。インデックス情報としては、例えば第１１図（ａ）に示すように「テープＮＯ．」、「撮影場所」、「日時」を各撮影テープ毎に記憶させる。このインデックス情報を入力する場合には、キー入力部１２７からインデックス情報書込みモードを指定してインデックス情報を入力し、登録キー１２８を操作する。インデックス情報書込みモードが指定されると、ＣＰＵ１８４からインターフェース１８２に文字発生部１８３の出力を選択するようにセレクト信号が送られる。従って、インターフェース１８２は、その後、キー入力部１２７からインデックス情報が入力されて文字発生部１８３より文字データが送られてくると、この文字データを一時記憶し、登録１２８キーが操作された際にＣＰＵ１８４からのアドレスデータに従ってＩＣカード１８に記憶する。
　また、インデックス情報として、例えば第１１図（ｂ）に示すように「テープＮＯ．」と共に撮影画像の一部をＩＣカード１８に記憶させるようにしてもよい。この場合には、キー入力部１２７によりインデックス画像の書込みモードを指定する。このモードが指定されると、ＣＰＵ１８４はインターフェース１８２にＡ／Ｄ変換回路１８１の出力を選択するようにセレクト信号を与える。この状態で撮影を行なうと、ビデオカメラ系回路１３４から出力されるビデオ信号が記憶装置１３９に入力され、Ａ／Ｄ変換回路１８１によりデジタルデータに変換されてインターフェース１８２に入力される。そして、この撮影状態において、登録キー１２８を操作すると、インターフェース１８２がＡ／Ｄ変換回路１８１からのビデオデータをＣＰＵ１８４のアドレス指定に基づいてＩＣカード１８に記憶する。
　そして、上記のようにしてＩＦカード１８に記憶したインデックス情報を確認したい場合には、キー入力部１２７によりＩＦカード読出しモードを指定する。この読出しモードが指定されると、ＣＰＵ１８４はインターフェース１８２にＩＣカード１８の先頭アドレスを与えると共に、その記憶情報を読出してＤ／Ａ変換回路１８５に出力するように指示する。この結果、ＩＣカード１８の先頭アドレスに記憶されているインデックス情報がインターフェース１８２を介してＤ／Ａ変換回路１８５に読出され、アナログ信号に変換されて第９図のＴＶ系回路１４１へ送られる。上記ＩＣカード読出しモードが指定されている場合には、ＴＶ系回路１４１はＤ／Ａ変換回路１８５から送られてくるインデックス情報を切替回路１３８により選択してクロマ回路１４５に出力し、Ｒ，Ｇ，Ｂの色信号に変換して液晶表示装置１２４に表示する。上記ＩＣカード１８に記憶されているインデックス情報は、キー入力部１２７に設けられているフォワードキー１２５及びバックキー１２６により指定アドレスを前後させて任意に読出すことができる。従って、ＩＣカード１８に記憶しているインデックス情報から各テープの撮影内容を容易に知ることができる。
　また、上記ＩＣカード１２８に記憶したインデックス情報は、第３図に示した電子手帳により上記第１の実施例の場合と同様にして確認することができる。
［発明の効果］
　以上説明したように、本発明によれば、撮像手段を備えた電子スチルカメラ等で大量の撮像画像を得ても、インターフェース手段を介して該撮像画像をもとに作成した保存画像確認用のインデックス画像を外部機器に出力し、外部機器で該インデックス画像を表示できるから、保存用メモりに保存画像として記憶した撮像画像の管理が容易になる効果を奏する。
【図面の簡単な説明】
　第１図ないし第６図は本発明の第１実施例を示すもので、第１図は電子スチルカメラの背面斜視図、第２図は電子スチルカメラの全体回路構成を示すブロック図、第３図は（ａ）は電子手帳の外観構成を示す正面図、第３図（ｂ）は同図（ａ）の底面図、４図は電子手帳の全体回路構成を示すブロック図、第５図は第４図における制御回路の詳細を示すブロック図、第６図（ａ）〜（ｃ）はＩＣカードのインデックス情報記憶例を示す図、第７図ないし第１１図は本発明の第２実施例を示すもので、第７図はビデオカメラの斜視図、第８図はビデオカメラ本体部のみの後部を示す図、第９図はビデオカメラの全体回路構成を示すブロック図、第１０図は第９図における記憶装置の詳細を示すブロック図、第１１図（ａ），（ｂ）はＩＣカードのインデックス情報記憶例を示す図である。
　１０……電子スチルカメラ、ｌｌ……カメラ本体、１２……レンズ部、１３……レリーズスイッチ、１４……ファインダ、１５……キー入力部、１６……液晶表示パネル、１７……ＦＤ、１８……ＩＣカード、１９……磁気記録装置部、２０，２１……カバー、３１……光学系、３２……シャッター、３３……撮像素子、３４……シャッター制御回路、３６ａ，３６ｂ……信号ライン、３７……信号処理回路、３８……表示制御回路、３９……変調回路、４１……Ａ／Ｄ変換回路、４３……メモリ制御回路、４４……制御回路、４５……Ｄ／Ａ変換回路、４６……記録回路、４７ａ……記録ヘッド、４７ｂ……再生ヘッド、５１……再生回路、５２……復調回路、５３……エンコーダ、ＳＷ１，ＳＷ２……スイッチ、６１……ケース、６２……表紙、６３……ケース本体、６４……ヒンジ部、６５……カラー液晶パネル、６６……テレビ電源スイッチ、６７ａ……アップキー、６７ｂ……ダウンキー、６８……スピーカ、６９……キーボード、７２……チューナ、７３……テレビリニア回路、７４……制御回路、７５……同期分離回路、７６……音声回路、７７……キー入力部、７８……電源回路、７９……シフトレジスタ、８０……ラッチ回路、８１……ドライバ、８２……シフトレジスタ、８３……ドライバ、９１……ＣＰＵ、９２……タイミング発生回路、９３……テレビ制御回路、９４……バスライン、９５……データメモリ、９６……辞書ＲＯＭ、９７……演算レジスタ、９８……表示メモリ、９９……表示ポート、１００……Ａ／Ｄ変換回路、１０１……コントロールバス、１１０……ビデオカメラ、１１１……本体ケース、１１２……段状部、１１３……ズームレンズ、１１４……マイク、１１５……ビデオテープ装着部、１２１……ビューファインダ、１２３……ＩＣカード挿入開口、１２４……液晶表示装置、１２５……フォワードキー、１２６……バックキー、１２７……キー入力部、１２８……登録キー、１３０……光学系、１３３……撮像素子、１３４……ビデオカメラ系回路、１３９……記憶装置、１４１……ＴＶ系回路、１５０……ＶＴＲ記録系回路、１７０……ＶＴＲ再生系回路、１８１……Ａ／Ｄ変換回路、１８２……インターフェース、１８３……文字発生部、１８４……ＣＰＵ、１８５……Ｄ／Ａ変換回路。